(57)【要約】【課題】整形性、外観、安定性及着心地の良いインナーを開発すること【解決手段】インナーの所定箇所にシリコンゴムを貼着すること【選択図】図２
2005113280.tif 000002
【特許請求の範囲】
【請求項１】
インナーの一部にシリコンゴムを貼着して成ることを特徴とするインナー
【請求項２】
インナーがブラジャー又はショーツである請求項１に記載のインナー
【請求項３】
シリコンゴムを貼着する箇所が、ブラジャーのトップバスト下部〜脇である請求項２に記載のインナー
【請求項４】
シリコンゴムを貼着する箇所が、ショーツの後身脚口の脇〜クロッチである請求項２に記載のインナー
【請求項５】
シリコンゴムを帯状に貼着した請求項１〜４のいずれかに記載のインナー
【請求項６】
シリコンゴムを斑点状にほぼ均一に分散して貼着した請求項１〜４のいずれかに記載のインナー
【請求項７】
インナー製造用生地に平面的にシリコンゴムを所定の箇所に貼着し、インナーの形状に裁断し、ダーツを縫合して身体の隆起により近い立体形の製品に仕上げることを特徴とするインナーの製造方法
【発明の詳細な説明】
【背景技術】
【０００１】
本発明はインナーに関し、更に詳しくはブラジャー、ショーツ、パンティ等の所謂インナーと称される下着に関する。
【０００２】
周知の通りインナーとして称される下着があり、これ等のなかにはブラジャー、ショーツ、パンティ、ガードル等が代表的なものとして知られている。
【０００３】
このインナーの代表的なものの一つとして、ブラジャーがある。このブラジャーに要求される条件として（イ）身体の整形即ちブラジャーが着用時の位置からズレないこと、（ロ）身体の外観即ち身体の線が美しく見えること、（ハ）安定性のあること即ち身体を動かしてもトップバストの位置がズレないこと、及び（ニ）着心地の良いこと即ち圧迫感や不快感がないことである。
【０００４】
またインナーとしてもう一つの代表的なものはショーツ（パンティともいう）である。このショーツについてもブラジャーと同様に上記（イ）〜（ニ）の要件が要求される。
【０００５】
これ等インナー就中ブラジャーやショーツの上記要件に対し、従来次の様な対策がとられて来た。
【０００６】
（１）ブラジャーに対して
上記（イ）及び（ロ）の要件に対しては、ブラジャーのアンダーバスト部にワイヤを用いたり、ハードカップ（成形カップ）としたり、或いは厚みのある構造とする対策がとられて来た。
【０００７】
また上記（ハ）及び（ニ）に対しては、脇布を用いる。この際の脇布としては、低伸度でキックバック力の大きな生地や、凹凸のある生地を用いる対策が採られている。
【０００８】
（２）ショーツに対して
ショーツに於いては、高伸度でキックバック力の大きな生地を用いたり、これと低伸度でキックバック力の大きな生地とを組合せる対策がとられている。
【０００９】
しかし乍らこれ等従来の対策では次の様な難点がある。
【００１０】
先ずブラジャーについては着用中に所謂ズレることが多く、このためトップバストの位置が着用時より下がるので元の位置にもどさねばならないばかりでなく、くい込みによるカユミやカブレが生じる。加えてワイヤーによる肌への悪影響たとえばケガ等が生じる。
【００１１】
次いでショーツについては着用中ズレるため、トップヒップの位置が着用時より下がり、元の位置に戻さねばならず、またズレなくするために必要以上に脚口を締めなければならなくなってしまい、それが原因となりくい込みによるカユミやカブレが生じる場合がある。加えてショーツラインが肌に食い込み、脚口ラインの上下との段差ができるため、フィットしたものを着用した場合表から見えるという難点がある。
【発明の開示】
【発明が解決しようとする課題】
【００１２】
一方本発明者は従来からシリコン系高分子について研究を続けて来た。そしてシリコン系高分子のなかでも特にシリコンゴムは、安全性（人体に対して無害）があり、撥水性及び摩擦係数が大きく、耐久性が良いという利点を有しており、本発明者はこの優れた特性のシリコンゴムに注目し、このゴムをインナーに応用できないであろうかという着想に到った。そしてこの着想を実現するために鋭意研究をつづけて来た。
【００１３】
更に詳しくは、人体に無害であり、撥水性があるためムレにくく、摩擦係数が大きいために、固定しやすく、風合が良く、加えて耐久性が大きく経済的であるという極めて優れた材料であるシリコンゴムを、インナーに適用して、従来の上記各難点を解消するため、本発明者はひき続き本研究をおし進めた。
【００１４】
そしてこの研究に於いて、シリコンゴムをインナーに貼着することを試みたが、インナー特にブラジャーやショーツは図１に示す通り円弧状の丸味をおびた部分が多く、シリコンゴムをこのインナーの特に丸味を帯びた部分にぴったりと貼着することは殆ど出来ないことが判明した。
【００１５】
従って本発明が解決しようとする課題は、このシリコンゴムをうまく、インナーの必要箇所にそのまま丸味を帯びた形状にそった形状を保持せしめつつ貼着する手段を見出し、惹いてはシリコンゴムを使用したインナーを新たに開発することである。
【課題を解決するための手段】
【００１６】
この課題は、図２及び３に示す如く、ブラジャーやショーツの肌側（裏側）になる生地の所定箇所にシリコンゴムを貼着し、所定形状に裁断すると共にダーツを設け、これを縫合することにより、シリコンゴムを円弧状にブラジャーやショーツに対し貼着出来るものである。
【００１７】
シリコンゴムを貼着する箇所としては、通常乳房や尻部の下部に相当するブラジャーやショーツの部分であれば良い。即ち図２及び図３の（１）に示す通り、ブラジャーの下部（乳房の下部に相当する）やショーツの下部（尻部に相当）である。
【００１８】
また本発明に於いては、シリコンゴムを斑点状に上記箇所にほぼ均一に貼着しても良い。斑点の大きさは通常は０．５〜５ｍｍ（直径）程度である。出来るだけ均一になるように貼着する。
【００１９】
本発明に於いて使用されるシリコンゴムとしては従来からシリコンゴムとして知られているものが全て包含される。
【発明の効果】
【００２０】
本発明のインナーは従来の難点をことごとく解消出来、身体の整形が出来るばかりでなく身体の外観を美しく出来、安定した位置で着用してもズレることなく、しかも圧迫感や不快感がなく着心地の良いものである。
【発明を実施するための最良の形態】
【００２１】
ブラジャーやショーツの必要箇所にシリコンゴムを貼着することにより上記した効果を発揮することが出来る。
【００２２】
以下に実施例を示して本発明を詳しく説明する。
【実施例１】
【００２３】
図２の（イ）に示す通り生地の肌側にシリコンゴムを（２）の様な形状で塗布し、乾燥してシリコンゴムを貼着した。これを図２の（ロ）に示す如く所定の形状に裁断し、ダーツ（３）を設け、次いで図２の（ハ）に示す如く、ダーツ（３）を縫合し、ブラジャーを作成した。
【００２４】
このブラジャーを実際に健康な２０才代の女性１０人に装着してもらい、そのときの特性を調査した。この結果は表１の通りである。
【００２５】
【表１】
2005113280.tif 000003
【実施例２】
【００２６】
図３に示す様にショーツについても同様に図３の（イ）の（２）に示す通りシリコンゴムを塗布し、乾燥して貼着した。そして図３の（ロ）の如く裁断し、ダーツ（３）を縫合してショーツを作成した。このショーツを実際に実施例１と同様に１０名の女性に装着してもらった所、表２の結果を得た。
【００２７】
【表２】
2005113280.tif 000004
【産業上の利用可能性】
【００２８】
優れた特性を有するインナー特にブラジャーやショーツを提供出来、その下着等に属する産業に大いに寄与することが出来る。
【図面の簡単な説明】
【００２９】
【図１】図１は従来のインナー特にブラジャー及びショーツの一例を示す説明図である。
【図２】図２は本発明のインナー（ブラジャー）を製造する際の説明図である。
【図３】図３は本発明のインナー（ショーツ）を製造する際の説明図である。
【符号の説明】
【００３０】
１：  生地
２：  シリコンゴム
３：  ダーツ
４：  縫代
５：  裁断線
６：  仕上線
７：  縫合後のダーツ
【図１】
2005113280.tif 000005
【図２】
2005113280.tif 000006
【図３】
2005113280.tif 000007